(57)【要約】【課題】接続の順番によらず、過電圧が第二の回路に印加されることを抑制できるハーネスを提供する。【解決手段】電力を供給する第一の回路１（２０１）と、第一の回路１（２０１）から電力が供給される第二の回路２（２０２）と、を接続するハーネスであって、電源３（２０３）の正極端子に接続される電源端子と、第二の回路２（２０２）を介して電源３（２０３）の負極端子に接続される接地端子と、を同じ接続部４（２０７）に設け、接続部４（２０７）が第一の回路１（２０１）に接続されると、第一の回路１（２０１）の接地配線１８（２１７）と第二の回路２（２０２）の接地配線２３（２２４）の電位を同じ状態にするハーネスである。【選択図】図１
2016107896.tif 000002
【特許請求の範囲】
【請求項１】
電力を供給する第一の回路と、前記第一の回路から電力が供給される第二の回路と、を接続するハーネスであって、
電源から電力が供給される前記第一の回路の電力配線に設けられる端子に接続される電源端子と、前記第一の回路の接地配線に設けられる第一の端子に接続される第一の接地端子と、を有する第一の接続部と、
前記第一の回路の有する前記電力配線および前記接地配線と別の回路配線に設けられる端子に接続される第一の回路端子と、前記第一の回路の接地配線に設けられる第二の端子に接続される第二の接地端子と、を有する第二の接続部と、
前記第二の回路の回路配線に設けられる端子に接続される第二の回路端子と、前記第二の回路の接地配線に設けられる第三の端子に接続される第三の接地端子と、を有する第三の接続部と、
前記第一の接地端子と前記第二の接地端子と前記第三の接地端子とを接続させる配線と、
を備えることを特徴とするハーネス。
【請求項２】
請求項１に記載のハーネスであって、
前記第三の接続部が前記第二の回路に接続された状態において、前記第一の接続部または前記第二の接続部が前記第一の回路に接続されると、前記第一の回路の接地配線と前記第二の回路の接地配線の電位が同じ状態になる、ことを特徴とするハーネス。
【請求項３】
電力を供給する第一の回路と、前記第一の回路から電力が供給される第二の回路と、を接続するハーネスであって、
電源から電力が供給される電力配線に設けられる端子に接続される電源端子を有する第一の接続部と、
前記電力配線と接続されない、前記電源から電力が供給される前記第一の回路に設けられる電力を迂回させる迂回配線の一端に設けられる端子と接続される第一の迂回端子と、前記迂回配線の他端に設けられる端子と接続される第二の迂回端子と、前記第一の回路の接地配線に設けられる第一の端子に接続される第一の接地端子と、前記電力配線、前記迂回配線および前記接地配線と別の回路配線に設けられる端子と接続される第一の回路端子と、を有する第二の接続部と、
前記第二の回路の接地配線に設けられる第二の端子に接続される第二の接地端子と、前記第二の回路の接地配線と別の前記第二の回路の回路配線に設けられる端子に接続される第二の回路端子と、を有する第三の接続部と、
前記第一の接地端子と前記第二の接地端子とを接続させる配線と、
を備えることを特徴とするハーネス。
【請求項４】
請求項３に記載のハーネスであって、
前記第三の接続部が前記第二の回路に接続された状態において、前記第二の接続部が前記第一の回路に接続されると、前記第一の回路の接地配線と前記第二の回路の接地配線の電位が同じ状態になる、ことを特徴とするハーネス。
【発明の詳細な説明】
【技術分野】
【０００１】
本発明は、回路間を接続するハーネスに関する。
【背景技術】
【０００２】
電源から供給される電力を用いて駆動する制御回路などの第一の回路と、その第一の回路から供給される電力（電源電圧より低い電圧の電力）を用いて駆動する監視回路などの第二の回路と、を接続して用いる装置において、電源の負極端子と第二の回路の接地端子とが既に接続されている状態で、電源の正極端子と第一の回路の電力配線に設けられる端子とが接続され、続いて、第一の回路の接地配線と第二の回路の接地配線とが接続されると、第一の回路の接地配線と第二の回路の接地配線が同じ電位でないため、第二の回路に過電圧（電源電圧以下であり第二の回路の駆動に用いる電圧以上の電圧)が印加され、第二の回路を破損してしまうことがある。
【０００３】
例えば、電源の正極端子と、第一の回路の電力配線に設けられる電源から電力が供給される端子を有する接続部（第一の回路の電源用コネクタ）と、を電源用ハーネスを介して接続し、続いて、第一の回路の接地配線および回路配線（第一の回路の電力配線および接地配線と別の配線）それぞれに設けられる端子を有する接続部（第一の回路の接地／回路配線用コネクタ）と、第二の回路の接地配線および回路配線（第二の回路の電力配線および接地配線と別の配線）それぞれに設けられる端子を有する接続部（第二の回路の接地／回路配線用コネクタ）と、を接地／回路配線用ハーネスを介して接続する場合が考えられる。
【０００４】
なお、電源用ハーネスは電力を供給するためのハーネスである。接地／回路配線用ハーネスは、電源の負極端子と第一の回路および第二の回路の接地配線それぞれを接続するとともに、第一の回路および第二の回路の回路配線それぞれを接続するためのハーネスである。
【０００５】
そこで、電源の正極端子と、第一の回路の電力配線に設けられる端子と、が接続され、続いて、第一の回路の接地配線および回路配線に設けられる端子と、第二の回路の接地配線および回路配線に設けられる端子と、が接続されたとしても、第二の回路に過電圧が印加されないようにしたい。
【０００６】
関連する技術として、特許文献１、２などがある。
【先行技術文献】
【特許文献】
【０００７】
【特許文献１】特開２０１４−１２１２３０号公報
【特許文献２】特開２０１４−１８０１８５号公報
【発明の概要】
【発明が解決しようとする課題】
【０００８】
本発明の一側面に係る目的は、接続の順番によらず、過電圧が第二の回路に印加されることを抑制できるハーネスを提供することである。
【課題を解決するための手段】
【０００９】
本発明の態様のひとつである、電力を供給する第一の回路と、第一の回路から電力が供給される第二の回路と、を接続するハーネスは、第一の接続部、第二の接続部、第三の接続部を有する。
【００１０】
第一の接続部は、電源から電力が供給される第一の回路の電力配線に設けられる端子に接続される電源端子と、第一の回路の接地配線に設けられる第一の端子に接続される第一の接地端子と、を有する。
【００１１】
第二の接続部は、第一の回路の有する電力配線および接地配線と別の回路配線に設けられる端子に接続される第一の回路端子と、第一の回路の接地配線に設けられる第二の端子に接続される第二の接地端子と、を有する。
【００１２】
第三の接続部は、第二の回路の回路配線に設けられる端子に接続される第二の回路端子と、第二の回路の接地配線に設けられる第三の端子に接続される第三の接地端子と、を有する。
【００１３】
また、第一の接地端子と第二の接地端子と第三の接地端子とを接続する配線を、ハーネスは有している。そして、第三の接続部が第二の回路に接続された状態において、第一の接続部または第二の接続部が第一の回路に接続されると、第一の回路の接地配線と第二の回路の接地配線の電位は同じ状態になる。
【００１４】
本発明の他の態様のひとつである、電力を供給する第一の回路と、第一の回路から電力が供給される第二の回路と、を接続するハーネスは、第一の接続部、第二の接続部、第三の接続部を有する。
【００１５】
第一の接続部は、電源から電力が供給される電力配線に設けられる端子に接続される電源端子を有する。
第二の接続部は、電力配線と接続されない、電源から電力が供給される第一の回路に設けられる電力を迂回させる迂回配線の一端に設けられる端子と接続される第一の迂回端子と、迂回配線の他端に設けられる端子と接続される第二の迂回端子と、第一の回路の接地配線に設けられる第一の端子に接続される第一の接地端子と、電力配線、迂回配線および接地配線と別の回路配線に設けられる端子と接続される第一の回路端子と、を有する。
【００１６】
第三の接続部は、第二の回路の接地配線に設けられる第二の端子に接続される第二の接地端子と、第二の回路の接地配線と別の第二の回路の回路配線に設けられる端子に接続される第二の回路端子と、を有する。
【００１７】
また、第一の接地端子と第二の接地端子とを接続する配線を、ハーネスは有している。そして、第三の接続部が第二の回路に接続された状態において、第二の接続部が第一の回路に接続されると、第一の回路の接地配線と第二の回路の接地配線の電位は同じ状態になる。
【発明の効果】
【００１８】
接続の順番によらず、過電圧が第二の回路に印加されることを抑制できる。
【図面の簡単な説明】
【００１９】
【図１】図１は、実施形態１に示す装置の一実施例を示す図である。
【図２】図２は、実施形態２に示す装置の一実施例を示す図である。
【発明を実施するための形態】
【００２０】
以下図面に基づいて実施形態について詳細を説明する。
実施形態１について説明をする。
図１は、実施形態１に示す装置の一実施例を示す図である。図１に示す装置は、第一の回路１、第二の回路２、電源３を有し、それぞれはハーネスを用いて接続されている。装置は、例えば、電池パックなどの蓄電装置が考えられる。電源３は、例えば、組電池が考えられる。
【００２１】
第一の回路１は接続部５、６（コネクタ）、接地配線１６、１８、電力配線１７、回路配線１９、２０を有している。接続部５は、電源３から電力を供給するために設けられ、電力配線１７に設けられる端子１７ａと、接地配線１６（接地配線１８に接続）に設けられる端子１６ａ（第一の端子）と、を有する。また、接続部５はハーネスに設けられる接続部４（コネクタ：第一の接続部）と接続される。接続部６は電力配線１７および接地配線１６、１８と別の回路配線１９、２０それぞれに設けられる端子１９ａ、２０ａと、第一の回路１の接地配線１８（接地配線１６に接続）に設けられる端子１８ａ（第二の端子）と、を有する。回路配線１９、２０は、電源３から供給される電力に基づいて第一の回路１で生成される電力（電源電圧より低い電圧の電力）を第二の回路２に供給するための配線あるいは第一の回路１で用いる信号配線などを示している。また、接続部６はハーネスに設けられる接続部７（コネクタ：第二の接続部）と接続される。
【００２２】
なお、接地配線１６、１８、電力配線１７、回路配線１９、２０は、例えば、プリント基板に設けられたパターンやケーブル配線である。また、第一の回路１は、電源３から供給される電力を用いて駆動する。
【００２３】
第二の回路２は接続部８、１０（コネクタ）、接地配線２３、回路配線２１、２２を有している。接続部８は、接地配線２３に設けられる端子２３ａ（第三の端子）と、回路配線２１、２２それぞれに設けられる端子２１ａ、２２ａを有する。また、接続部８はハーネスに設けられる接続部９（コネクタ：第三の接続部）と接続される。回路配線２１、２２は、第一の回路１で生成される電力を第二の回路２に供給するための配線あるいは第二の回路２で用いる信号配線などを示している。接続部１０は、接地配線２３に接続部８の端子２３ａと別に設けられる端子２３ｃを有する。また、接続部１０の端子２３ｃは、電源３の負極端子と接続するためのハーネスに設けられる接続部１１（コネクタ）の接地端子２３ｄと接続される。該ハーネスは接続部１１と配線１４（例えば、ケーブル）により構成される。なお、本例では電源３の負極端子と、第二の回路２の接地配線２３と、が接続部１０、１１を用いて接続されているが、接続部１０、１１を用いずに直接接続してもよい。
【００２４】
なお、接地配線２３、回路配線２１、２２は、例えば、プリント基板に設けられたパターンやケーブル配線である。ただし、接続部８と接続部９の接続、および、接続部１０と接続部１１の接続は、第一の回路１の接続部５、６にハーネスの接続部４、７を接続する前に接続されている。
【００２５】
実施形態１のハーネスについて説明する。
電力を供給する第一の回路１と、第一の回路１から電力が供給される第二の回路２と、を接続するハーネスは、接続部４、接続部７、接続部９、配線１２、１３、１５（例えば、ケーブル）を有する。
【００２６】
接続部４は、電源３から電力が供給される第一の回路１の電力配線１７に設けられる端子１７ａに接続される電源端子１７ｂと、第一の回路１の接地配線１６に設けられる端子１６ａに接続される接地端子１６ｂ（第一の接地端子）と、を有する。接続部４の電源端子１７ｂは配線１３（例えば、ケーブル）の一端と接続され、配線１３を介して電源３の正極端子と接続されている。また、第一の接続部４の接地端子１６ｂは、配線１２（例えば、ケーブル）の一端と接続され、配線１２、接続部９の接地端子２３ｂ（第三の接地端子）、接続部８の端子２３ａ、接地配線２３、接続部１０の端子２３ｃ、接続部１１の接地端子２３ｄ、配線１４を介して、電源３の負極端子と接続されている。
【００２７】
接続部７は、第一の回路１の有する電力配線１７および接地配線１６、１８と別の回路配線１９、２０それぞれに設けられる端子１９ａ、２０ａに接続される回路端子１９ｂ、２０ｂ（第一の回路端子）それぞれと、第一の回路１の接地配線１８に設けられる端子１８ａに接続される接地端子１８ｂ（第二の接地端子）と、を有する。また、接続部７の接地端子１８ｂは、配線１２の分岐した配線の一端と接続され、配線１２、接続部９の接地端子２３ｂ、接続部８の端子２３ａ、接地配線２３、接続部１０の端子２３ｃ、接続部１１の接地端子２３ｄ、配線１４を介して、電源３の負極端子と接続されている。
【００２８】
接続部９は、第二の回路２の回路配線２１、２２それぞれに設けられる端子２１ａ、２２ａに接続される回路端子２１ｂ、２２ｂ（第二の回路端子）それぞれと、第二の回路２の接地配線２３に設けられる端子２３ａに接続される接地端子２３ｂ（第三の接地端子）と、を有する。また、配線１２は、接地端子１６ｂと接地端子１８ｂと接地端子２３ｂとを接続する。
【００２９】
実施形態１によれば、端子２３ａと接地端子２３ｂとが接続された状態（接続部８と接続部９が接続された状態）において、接続部４と第一の回路１の接続部５との接続または接続部７と第一の回路１の接続部６との接続の順番を違えたとしても、第一の回路１の接地配線１６、１８と第二の回路２の接地配線２３の電位を同じ状態にすることができる。
【００３０】
そうすると、（１）接続部４と接続部５が先に接続された状態で、接続部６と接続部７を接続したとしても、第一の回路１の接地配線１６、１８と第二の回路２の接地配線２３の電位が同じ状態であるので、第二の回路２に過電圧が印加されることはない。また、（２）接続部６と接続部７が先に接続された状態で、接続部４と接続部５を接続したとしても、第一の回路１の接地配線１６、１８と第二の回路２の接地配線２３の電位を同じ状態にできるため、第二の回路２に過電圧が印加されない。
【００３１】
実施形態２について説明をする。
図２は、実施形態２に示す装置の一実施例を示す図である。図２に示す装置は、第一の回路２０１、第二の回路２０２、電源２０３を有し、それぞれはハーネスを用いて接続されている。装置は、例えば、電池パックなどの蓄電装置が考えられる。電源２０３は、例えば、組電池が考えられる。
【００３２】
第一の回路２０１は接続部２０５、２０６（コネクタ）、接地配線２１７、電力配線２２０（迂回配線）、電力配線２２１、回路配線２１８、２１９を有している。接続部２０５は、電源２０３から電力を供給するために設けられ、電力配線２２１に設けられる端子２２１ａを有する。また、接続部２０５はハーネスに設けられる接続部２０４（コネクタ：第一の接続部）と接続される。接続部２０６は電力配線２２１と接続されない電力配線２２０に設けられる端子２２０ａ、２２０ｃと、接地配線２１７に設けられる端子２１７ａ（第一の端子）と、電力配線２２０、２２１および接地配線２１７と別の回路配線２１８、２１９それぞれに設けられる端子２１８ａ、２１９ａと、を有する。回路配線２１８、２１９は、電源２０３から供給される電力に基づいて第一の回路２０１で生成される電力（電源電圧より低い電圧の電力）を第二の回路２０２に供給するための配線あるいは第一の回路２０１で用いる信号配線などを示している。また、接続部２０６はハーネスに設けられる接続部２０７（コネクタ：第二の接続部）と接続される。
【００３３】
なお、接地配線２１７、電力配線２２０、２２１、回路配線２１８、２１９は、例えば、プリント基板に設けられたパターンやケーブル配線である。また、第一の回路２０１は、電源２０３から供給される電力を用いて駆動する。
【００３４】
第二の回路２０２は接続部２０８、２１０（コネクタ）、接地配線２２４、回路配線２２２、２２３を有している。接続部２０８は、接地配線２２４に設けられる端子２２４ａ（第二の端子）と、回路配線２２２、２２３それぞれに設けられる端子２２２ａ、２２３ａを有する。また、接続部２０８はハーネスに設けられる接続部２０９（コネクタ：第三の接続部）と接続される。回路配線２２２、２２３は、第一の回路１で生成される電力を第二の回路２に供給するための配線あるいは第二の回路２で用いる信号配線などを示している。接続部２１０は、接地配線２２４に接続部２０８の端子２２４ａと別に設けられる端子２２４ｃを有する。また、接続部２１０の端子２２４ｃは、電源２０３の負極端子と接続するためのハーネスに設けられる接続部２１１（コネクタ）の接地端子２２４ｄと接続される。該ハーネスは接続部２１１と配線２１４（例えば、ケーブル）により構成される。なお、本例では電源２０３の負極端子と、第二の回路２の接地配線２２４と、が接続部２１０、２１１を用いて接続されているが、接続部２１０、２１１を用いずに直接接続してもよい。
【００３５】
なお、接地配線２２４、回路配線２２２、２２３は、例えば、プリント基板に設けられたパターンやケーブル配線である。ただし、接続部２０８と接続部２０９の接続、および、接続部２１０と接続部２１１の接続は、第一の回路１の接続部２０５、２０６にハーネスの接続部２０４、２０７を接続する前に接続されている。
【００３６】
実施形態２のハーネスについて説明する。
電力を供給する第一の回路２０１と、第一の回路２０１から電力が供給される第二の回路２０２と、を接続するハーネスは、接続部２０４、２０７、２０９、配線２１２、２１３、２１５、２１６（例えば、ケーブル）を有する。
【００３７】
接続部２０４は、電源２０３から電力が供給される電力配線２２１に設けられる端子２２１ａに接続される電源端子２２１ｂを有する。接続部２０４の電源端子２２１ｂは配線２１２（例えば、ケーブル）の一端と接続され、配線２１２、接続部２０７の端子２２０ｄ、接続部２０６の２２０ｃ、電力配線２２０、接続部２０６の端子２２０ａ、接続部２０７の２２０ｂ、配線２１３を介して電源２０３の正極端子と接続されている。
【００３８】
接続部２０７は、電力配線２２１と接続されない、電源２０３から電力が供給される第一の回路２０１に設けられる電力を迂回させる電力配線２２０（迂回配線）の一端に設けられる端子２２０ｃと接続される迂回端子２２０ｄ（第一の迂回端子）と、電力配線２２０の他端に設けられる端子２２０ａと接続される迂回端子２２０ｂ（第二の迂回端子）と、第一の回路２０１の接地配線２１７に設けられる端子２１７ａに接続される接地端子２１７ｂ（第一の接地端子）と、電力配線２２０、２２１および接地配線２１７と別の回路配線２１８、２１９に設けられる端子２１８ａ、２１９ａと接続される回路端子２１８ｂ、２１９ｂ（第一の回路端子）と、を有する。また、接続部２０７の接地端子２１７ｂは、配線２１５（例えば、ケーブル）の一端と接続され、配線２１５、接続部２０９の接地端子２２４ｂ（第二の接地端子）、接続部２０８の端子２２４ａ、接地配線２２４、接続部２１０の端子２２４ｃ、接続部２１１の接地端子２２４ｄ、配線２１４を介して、電源２０３の負極端子と接続されている。
【００３９】
接続部２０９は、第二の回路２０２の接地配線２２４に設けられる端子２２４ａに接続される接地端子２２４ｂと、第二の回路２０２の接地配線２２４と別の第二の回路２０２の回路配線２２２、２２３に設けられる端子２２２ａ、２２３ａに接続される回路端子２２２ｂ、２２３ｂ（第二の回路端子）と、を有する。また、配線２１５は、接地端子２１７ｂと接地端子２２４ｂとを接続する。
【００４０】
実施形態２によれば、端子２２４ａと接地端子２２４ｂとが接続された状態（接続部２０８と接続部２０９が接続された状態）において、接続部２０４と第一の回路２０１の接続部２０５との接続または接続部２０７と第一の回路２０１の接続部２０６との接続の順番を違えたとしても、第一の回路２０１の接地配線２１７と第二の回路２０２の接地配線２２４の電位を同じ状態にすることができる。
【００４１】
そうすると、（３）接続部２０４と接続部２０５が先に接続された状態で、接続部２０６と接続部２０７を接続したとしても、接続部２０６の端子２１７ａ、２２０ａ、２２０ｃと接続部２０７の接地端子２１７ｂ、迂回端子２２０ｂ、２２０ｄとは、同じタイミングで接続される構成であるので、第一の回路２０１の接地配線２１７と第二の回路２０２の接地配線２２４の電位を同じ状態にできるため、第二の回路２０２に過電圧が印加されることはない。また、（４）接続部２０６と接続部２０７が先に接続された状態で、接続部２０４と接続部２０５を接続したとしても、第一の回路２０１の接地配線２１７と第二の回路２０２の接地配線２２４の電位は同じ状態であるので、第二の回路２０２に過電圧が印加されることはない。
【００４２】
また、本発明は、実施形態１、２に限定されるものでなく、本発明の要旨を逸脱しない範囲内で種々の改良、変更が可能である。
なお、第一の回路１、２０１は、例えば、車両に搭載される蓄電装置に備えられる電池の充放電を制御する制御ＥＣＵ（Electronic Control Unit）などの回路でもよい。また、第二の回路２、２０２は、例えば、電池の状態を監視する監視ＥＣＵなどの回路でもよい。
【符号の説明】
【００４３】
１、２０１  第一の回路、
２、２０２  第二の回路、
３、２０３  電源、
４、５、６、７、８、９、１０、１１  接続部、
１２、１３、１４、１５  配線、
１６、１８、２３  接地配線、
１７  電力配線、
１９、２０、２１、２２  回路配線、
１６ａ、１７ａ、１８ａ、１９ａ、２０ａ、２１ａ、２２ａ、２３ａ、２３ｃ  端子、
１６ｂ、１８ｂ、２３ｂ、２３ｄ  接地端子、
１７ｂ  電源端子、
１９ｂ、２０ｂ、２１ｂ、２２ｂ  端子、
２０４、２０５、２０６、２０７、２０８、２０９、２１０  接続部、
２１２、２１３、２１４、２１５、２１６  配線、
２１７、２２４  接地配線、
２２０、２２１  電力配線、
２１８、２１９、２２２、２２３  回路配線、
２１７ａ、２１８ａ、２１９ａ、２２０ａ、２２０ｃ、２２１ａ、２２２ａ、２２３ａ、２２４ａ、２２４ｃ  端子、
２１７ｂ、２２４ｂ、２２４ｄ  接地端子、
２２１ｂ  電源端子、
２１８ｂ、２１９ｂ、２２０ｂ、２２０ｄ、２２２ｂ、２２３ｂ  端子、
【図１】
2016107896.tif 000003
【図２】
2016107896.tif 000004